(57)【要約】【課題】    寝た状態でも起立状態でも容易に装着でき、何れの場合においても、脚周りや股間部に良好なフィット性が得られる成人用の使い捨ておむつを提供すること。    【解決手段】  液透過性の表面シート２、液不透過性の裏面シート３、及びこれら両シート２，３間に介在する液保持性の吸収性コア４を具備し、長手方向に順に後方部Ａ、股下部Ｂ及び前方部Ｃを有する吸収性本体５と、該後方部Ａの両側縁それぞれから幅方向に延出するウエストバンド６とを備え、左右の該ウエストバンドの少なくとも何れか一方に両バンド連結用のバンド止着部６８が設けられている使い捨ておむつ１であり、前方部Ａに、該前方部Ａの幅より幅の狭いシート状の掴み片８が設けられており、該掴み片８の前記裏面シート側の面に、該掴み片８を、連結した状態のウエストバンドの外面に固定可能な止着部８２が設けられている。【選択図】    図１
2005323641.tif 000002
【特許請求の範囲】
【請求項１】
液透過性の表面シート、液不透過性の裏面シート及びこれら両シート間に介在する吸収性コアを具備し、長手方向に順に後方部、股下部及び前方部を有する吸収性本体と、前記後方部の両側縁それぞれから幅方向に延出するウエストバンドとを備え、左右の該ウエストバンドの少なくとも何れか一方に両バンド連結用のバンド止着部が設けられている使い捨ておむつであって、    
前記前方部に、該前方部の幅より幅の狭いシート状の掴み片が設けられており、該掴み片における前記裏面シート側の面に、連結した状態の前記ウエストバンドの外面に止着可能な止着部が設けられている使い捨ておむつ。
【請求項２】
前記ウエストバンドは、おむつ幅方向に伸縮性を有している請求項１記載の使い捨ておむつ。
【請求項３】
前記掴み片は、前記吸収性本体を構成するシートとは別のシート材によって形成されている請求項１又は２記載の使い捨ておむつ。
【請求項４】
前記吸収性本体の長手方向の両側部に、前記吸収性コアの両側縁より幅方向外方に延出する本体伸縮部を有している請求項１〜３の何れか記載の使い捨ておむつ。
【請求項５】
前記ウエストバンドは、その下縁部に沿って弾性部材が配された下縁部伸縮部を有しており、該下縁部伸縮部と前記本体伸縮部とが実質的に連続する伸縮部を形成している請求項１〜４の何れか記載の使い捨ておむつ。
【請求項６】
前記掴み片は、その延出方向に目盛りを有する請求項１〜５の何れか記載の使い捨ておむつ。
【発明の詳細な説明】
【技術分野】
【０００１】
本発明は、寝た状態でも起立状態でも容易に装着でき、何れの場合においても、脚周りや股間部に良好なフィット性が得られる使い捨ておむつに関する。
【背景技術】
【０００２】
従来、長手方向一端部の両側縁に一対のファスニングテープを有し、該ファスニングテープを長手方向他端部の外面に設けたランディンゾーンに止着して用いる使い捨ておむつ（以下、テープ止め型おむつという）と、おむつ本体の長手方向一端部と長手方向他端部の両側縁部同士を予め接合してウエスト開口部及び一対のレッグ開口部を形成した使い捨ておむつ（以下、パンツ型おむつという）が広く知られている。
【０００３】
テープ止め型おむつは、テープの止着位置をずらしてフィット性の調整が可能で、製造コストが安い等の利点があるが、起立状態で装着することは困難である。他方、パンツ型おむつは、下着であるパンツと同様に、起立状態で装着することができるが、寝た状態で装着することは容易ではない。
【０００４】
また、長手方向一端部の両側縁に一対のウエストバンドを備え、その少なくとも一方にバンド止着部を有し、長手方向他端部の両側部におむつ止着部を有する使い捨ておむつ（以下、ウエストバンド型おむつという）が知られている（特許文献１，２参照）。このウエストバンド型おむつは、バンド止着部により、左右のウエストバンドを着用者の腹側において止着した後、長手方向他端部を、おむつ止着部により、連結した状態のウエストバンドに止着することにより装着することができ、起立状態でも装着することができる。
【０００５】
また、特許文献３には、おむつ本体の後端部の両側縁のやや股下部寄りの位置に一対の着用帯片を有し、おむつ本体の前端部を、着用者の腹部にあてがった後、両着用帯片を前端部上において互いに連結し、次いで、前記前端部を、着用帯片の上縁部で折り曲げることによって、着用者のへそより下でまとめるようにした使い捨ておむつが提案されている。
【０００６】
【特許文献１】特開平５−１８４６２３号公報
【特許文献２】特開平９−２９０００２号公報
【特許文献３】特許３３４３１９９号公報
【発明の開示】
【発明が解決しようとする課題】
【０００７】
ところで、従来、おむつ製造者は、脚周りの周長等の個人差に対応するべく、いくつかのサイズのおむつを提供し、消費者が自己の体重や実際に使った場合の使用感等を判断基準として、自己の寸法に適合したおむつを選択して使用することが一般的に行われている。
しかし、従来のおむつは、脚廻りの周長の個人差に対する適応性が不充分であり、例えば着用者の体重を基準としてＳ、Ｍ、Ｌサイズ等のおむつのサイズを選択すると、その体重の割に、着用者の脚廻りが太い場合には、脚廻りの締め付け力が過剰となって、着用者の肌に過度の負担を与える場合があり、逆に、その体重の割に、着用者の脚廻りが細い場合には、脚廻りに対するフィット性が十分に得られず、漏れ等の不都合を生じ易くなる場合があった。
【０００８】
尚、特許文献３の発明は、保育器の中の未熟児に対して容易に着用させることができるおむつの提供を解決課題としており、起立状態での着用の容易性については何ら考慮されていない。また、おむつ本体の前端部を、連結された着用帯片の上縁部で折り曲げるようにしてあるため、着用帯片の連結後に、おむつ前端部を上下させることは困難である。
【０００９】
従って、本発明の目的は、寝た状態でも起立状態でも容易に装着でき、何れの場合においても、脚周りや股間部に良好なフィット性が得られる使い捨ておむつを提供することにある。
【課題を解決するための手段】
【００１０】
本発明は、液透過性の表面シート、液不透過性の裏面シート及びこれら両シート間に介在する吸収性コアを具備し、長手方向に順に後方部、股下部及び前方部を有する吸収性本体と、前記後方部の両側縁それぞれから幅方向に延出するウエストバンドとを備え、左右の該ウエストバンドの少なくとも何れか一方に両バンド連結用のバンド止着部が設けられている使い捨ておむつであって、前記前方部に、該前方部の幅より幅の狭いシート状の掴み片が設けられており、該掴み片の前記裏面シート側の面に、連結した状態の前記ウエストバンドの外面に止着可能な止着部が設けられている使い捨ておむつを提供することにより、前記目的を達成したものである。
【発明の効果】
【００１１】
本発明の使い捨ておむつは、寝た状態でも起立状態でも容易に装着でき、何れの場合においても、脚周りや股間部に良好なフィット性を得ることができる。
【発明を実施するための最良の形態】
【００１２】
以下、本発明をその好ましい実施形態に基づき図面を参照しながら説明する。
本発明の一実施形態としての使い捨ておむつ１は、成人用のおむつであり、図１及び図２に示されるように、液透過性の表面シート２、液不透過性の裏面シート３、及びこれら両シート２，３間に介在する液保持性の吸収性コア４を具備し、長手方向の一端部から順に後方部Ａ、股下部Ｂ及び前方部Ｃを有する吸収性本体５と、該後方部Ａの両側縁それぞれから幅方向に延出するウエストバンド６とを備えている。
後方部Ａ、股下部Ｂ及び前方部Ｃは、吸収性本体５を、その全長を３等分するようにして３つ領域に区分したときの各領域である。
【００１３】
吸収性本体５は、図１に示すように、平面視形状が長方形状である。吸収体４は、長方形状の裏面シート３及びそれよりやや細幅長方形状の表面シート２により挟持・固定されている。吸収体４は、略長方形状の輪郭を有し、その長手方向中央部の左右両側縁が凹状に湾曲した曲線形状、より具体的には円弧状に形成されている。吸収性本体５の長手方向の両側部には、一側縁部に弾性部材７１を有する立体ガード形成用シート７２が配されて、一対の立体ガード７が形成されている。立体ガード７は、吸収性本体５の長手方向両端部においては表面シート２上に起立不可能に固定されており、それら両端部間においては、弾性部材７１が配された一側縁側が起立可能になされている。図１中の直線７３は、立体ガード７の固定端を示す。
【００１４】
吸収性本体５の長手方向の両側部における、立体ガード形成用シート７２と裏面シート３との間には、複数本の弾性部材５１が、それぞれ吸収性本体５の長手方向に沿って伸長状態で固定されている。これらの弾性部材５１により、吸収性コア４の両側縁より幅方向外方に延出するように、本体伸縮部５が形成されている。本体伸縮部５は主として股下部Ｂにおいて着用者の脚周りに直接当接する。
【００１５】
ウエストバンド６は、図２に示すように、左右のウエストバンドに共通する一枚の横長帯状のウエストバンド形成用シート６１を、吸収性本体５の後方部Ａにおける裏面シート３側の面に、公知の接合手段（例えば接着剤、ヒートシール、超音波シール、高周波シール等）によって接合することにより形成されている。
【００１６】
ウエストバンド形成用シート６１は、略同形の２枚のシート６２，６３が積層されて両シート間を接着されてなり、各ウエストバンド６の上縁部を形成する部分及び下縁部を形成する部分それぞれにおける２枚のシート間には、弾性部材６５，６７がそれぞれの縁部に沿って伸長状態で挟持固定されている。これにより、各ウエストバンド６に、上縁部に沿って弾性伸縮する上縁部伸縮部６４及び下縁部に沿って伸縮する下縁部伸縮部６６が形成されている。
各ウエストバンド６における下縁部伸縮部６６は、吸収性本体５の近傍において、股下部Ｂ方向に傾斜しており、下縁部伸縮部６６と本体脚周り伸縮部５とは実質的に連続する伸縮部を脚周りに形成している。
【００１７】
一方のウエストバンド６ａにおける先端部には、図１に示すように、両バンド連結用のバンド止着部６８が設けられており、他方のウエストバンド６ｂにおける先端部近傍には、図２に示すように、該バンド止着部６８を着脱自在に止着可能な被止着部６９が設けられている。バンド止着部６８は、機械的面ファスナーのオス部材からなる。オス部材は、基材テープ６８ａの片面に設けられており、その基材テープ６８ａが、オス部材がウエストバンド６ａの先端から突出するように、該ウエストバンド６ａにおける裏面シート側の面に接着固定されている。他方、被止着部６９は、機械的面ファスナーのメス部材を、ウエストバンド６ｂの先端部における裏面シート側の面に接着固定することにより形成されている。
被止着部６９には、図２に示すように、バンド止着部６８を止着する際に止着位置の目安になる目盛り６９ａが印刷等により表示されている。
【００１８】
機械的面ファスナーのオス部材としては、例えば、その表面に多数の錨形や鉤形のオス型係合部材が配されたものを用いることができ、メス部材としては、前記オス型係合部材が係合可能なループを多数表面に有し、オス部材を押しつけることにより、オス部材を止着可能なものを用いることができる。機械的ファスナーのオス部材及びメス部材としては、公知の機械的ファスナー、例えば「マジックテープ（登録商標）」（クラレ社製）、「クイックロン（登録商標）」（ＹＫＫ社製）、「マジクロス（登録商標）」（カネボウベルタッチ社製）等におけるオス部材及びメス部材を用いることができる。ウエストバンド形成用シートとして、ウエストバンドの機械的ファスナーのオス部材を直接係合可能な材料、例えば係合性に富む不織布等を用い、該シートをメス部材とすることもできる。
【００１９】
吸収性本体５の前方部Ｃには、該前方部Ｃの前端縁から突出するようにシート状の掴み片８が設けられている。掴み片８の幅Ｗ１は、前方部Ｃの前端部近傍における幅Ｗより狭く、操作性と、製造コスト、更には吸収性本体に対する充分な固定強度を得る観点から、前方部Ｃの前記幅Ｗの２０〜９５％であることが好ましく、より好ましくは５０〜９０％である。
掴み片８は、図２に示すように、吸収性本体５の構成材料としての表面シート２や裏面シート３とは、別のシート材である四角形状のシート８１によって形成されている。シート８１は、その大部分が、吸収性本体５の前端縁から延出して掴み片８を形成するように、前方部Ｃの前端部に公知の接合手段（例えば接着剤、ヒートシール、超音波シール、高周波シール等）によって接着固定されている。
【００２０】
掴み片８形成用のシート８１は、装着感、強度、コスト、加工性の観点から、織布、不織布、フィルムの内の何れか１種類又は２種類以上の複合シートであることが好ましく、これらの中でも  装着感、コスト、加工性の観点から不織布、フィルム、あるいはその複合シートであることが好ましく、特に不織布が好ましい。
【００２１】
また、掴み片８は、操作性、前方部を引き上げる程度の充分な調整力、コストの観点から、その延出長さＬ１（図２参照）が、摘み片８部分を除くおむつ長手方向の全長Ｌ（図２参照）の１２．５％以上であることが好ましく、より好ましくは前記全長Ｌの１５〜５０％、更に好ましくは前記全長Ｌの２０〜４０％である。
【００２２】
掴み片８は、その裏面シート３側の面に、連結した状態のウエストバンド６の外面に着脱自在に止着可能な止着部８２が設けられている。止着部８２は、掴み片８先端部の左右両側に一対設けられている。各止着部８２は、掴み片形成用シート８１に、機械的面ファスナーのオス部材を接合固定して形成されている。機械的面ファスナーのオス部材としては、バンド止着部に用いたものと同様のものを用いることができる。尚、本実施形態におけるウエストバンド６は、表面に多数のループを有する不織布からなり、止着部８２は、ウエストバンド６の外面に直接、着脱自在に係合する。
【００２３】
図２に示すように、掴み片８は、その延出方向に目盛り８３を有している。目盛り８３は、掴み片８の延出方向に所定の間隔で配された複数の目盛り要素からなる。本実施形態における目盛り要素は、目盛り線であるが、目盛り線以外の、文字、図形又は記号等であっても良い。目盛り線以外の具体例を示せば、ひらがな（あいうえ・・等）、片仮名（イロハニ・・等）、ローマ数字等の文字、三角形等の図形、動物や車等の絵柄等が挙げられる。目盛りは、色の異なる複数の着色領域からなるものであっても良い。目盛り要素は同種のもの又は異種のものを組み合わせて用いることもできる。
【００２４】
本実施形態のおむつ１は、着用者が、寝た状態でも起立状態でも容易に装着することができる。
【００２５】
＜寝た状態での装着方法＞
寝た状態で装着するには、先ずおむつを拡げ、吸収性本体５の後方部Ａ上に着用者の尻をのせ、吸収性本体５の前方部Ｃを着用者の腹側に引き上げて、着用者の腹部に当てがう。次いで、着用者の腹部に当てた前方部Ｃ上に、両ウエストバンドを位置させ、一方のウエストバンド６ｂ上に他方のウエストバンド６ａを重ねるようにして両バンドをバンド止着部６８を介して連結する。次いで、掴み片８を手で掴んで、前方部Ｃを、着用者の胸や頭に向かう方向に適度な位置まで引き上げる。
そして、股間部や脚周りに良好なフィット性が得られたら、掴み片８を、連結したウエストバンドの上縁部に沿って、ウエストバンドの外面側に折り返し、該掴み片８を止着部８２，８２を介してウエストバンド外面に止着固定する。
前方部Ｃの引き上げ量が不充分又は引き上げ過ぎの場合には、止着部８２を引き剥がし、掴み片８を掴んで、前方部Ｃを更に引き上げたり、股下部Ｂの側縁等をもって前方部Ｃを下方に引き下げたりして、前方部Ｃの引き上げ量を再調整した後、掴み片８をウエストバンド外面に再止着して固定する。
【００２６】
＜起立状態での装着方法１＞
起立状態で装着する一つの方法は、先ず、吸収性本体５の後方部Ａを着用者の背側に位置させ、両ウエストバンド６ａ，６ｂを着用者の腹側に持ってくる。そして、一方のウエストバンド６ｂ上に他方のウエストバンド６ａを重ねるようにして両バンドをバンド止着部６８を介して連結する〔図３（ａ）参照〕。次いで、掴み片８を、図３（ａ）中に矢印で示すように、連結されたウエストバンドと着用者の腹部との間を通して、ウエストバンドの上縁部の上方まで引き出し、更に、その掴み片８を掴んで、前方部Ｃを、股間部や脚周りに良好なフィット性が得られるまで引き上げる〔図３（ｂ）参照〕。そして、寝た状態での装着方法と同様に、掴み片８を、連結したウエストバンドの上縁部に沿って、ウエストバンド外面側に折り返し、該掴み片８を、ウエストバンド外面に止着部８２，８２を介して止着する〔図３（ｃ）参照〕。前方部Ｃの引き上げ量が不充分又は引き上げ過ぎの場合の調節方法は、寝た状態で装着する場合と同様である。
【００２７】
＜起立状態での装着方法２＞
起立状態で装着する他の一つの方法は、おむつを、単独の状態で予め図３（ｃ）に示すようなパンツ型の状態としておく。そして、そのおむつを、下着であるパンツと同様にしてはく。その状態で、股間部や脚周りに良好なフィット性が得られない場合には、止着部８２を剥離し、掴み片８を掴んで、前方部Ｃを引き上げたり、股下部Ｂの側縁等をもって前方部Ｃを下方に引き下げたりして、前方部Ｃの引き上げ量を再調整した後、掴み片８をウエストバンド外面に再止着して固定する。
【００２８】
本実施形態のおむつ１によれば、このようにして、寝た状態でも起立状態でも容易に装着でき、掴み片８の引き上げ等により、前方部Ｃの引き上げ量を容易に調節できるため、脚周りや股間部に良好なフィット性が得られる。
また、本実施形態のおむつ１は、このようにして、脚周りや股間部に対するフィット性を調節可能であるので、脚廻りの周長や股上の長さ等についての個人差や各個人毎の体形変化に対する適応性にも優れている。
【００２９】
掴み片８の引き上げの際には、掴み片８の目盛り８３を目安にすることにより、最適な引き上げ量を容易に判断することができる。例えば、過去の経験により、股間部や脚周りに良好なフィット性が得られる引き上げ量を、掴み片８を、ウエストバンドの上縁部にどの目盛りが達するまで引き上げたかによって記憶しておけば、その目盛りに合わせるだけで、過去の引き上げ量とおなじ引き上げ量を容易に判断することができる。
【００３０】
また、おむつ１におけるウエストバンド６は、おむつ幅方向に伸縮性を有しているため、ウエストバンド同士を連結した後においても、着用者とウエストバンドとの間に挿入した前方部Ｃを容易に引き上げたり下げたりできる。また、装着後のフィット性にも優れている。
【００３１】
また、掴み片８が、吸収性本体５を構成するシートとは別のシートによって形成されているため、吸収性本体５の長さに掴み片８の長さを足したような、通常より長い長さの吸収性本体を、加工機中の長い距離を搬送する必要がなくなるので、加工機中でのトラブルの発生を防止することができる。
【００３２】
また、吸収性本体５の長手方向の両側部に、上記構成の本体伸縮部５を有しているため、吸収体本体５を隙間なく体にフィットさせることでモレを防ぎ、また装着後においてはバンド止着部６８をはずさなくても、トイレなどでそのまま上げ下ろしを容易に行うことができる。
しかも、下縁部伸縮部６６と本体伸縮部５とが実質的に連続する伸縮部を脚周りに形成しているため、装着者の足廻りへのフィット性を向上させ、身体からの排泄物を確実に充分に保持することができる。
【００３３】
尚、表面シート２、裏面シート３、立体ガード形成用シート７２、シート６２、シート６３、各部の弾性部材等の構成材料としては、使い捨ておむつに従来用いられている各種公知のものを特に制限なく用いることができる。また、弾性部材５１、６５、６７、７１それぞれの形成素材としては、天然ゴム、合成ゴム、スパンデックス等の各種のものを用いることができ、それぞれの形態としては糸状、帯状、フィルム状等の各種のものを用いることができる。
【００３４】
本発明の使い捨ておむつは、上述した実施形態に制限されず、本発明の趣旨を逸脱しない範囲で種々変更が可能である。
例えば、上記実施形態における一対のウエストバンドは、一枚のウエストバンド形成用シート６１を吸収性本体５に固定して形成していたが、吸収性本体５の左右両側部にそれぞれ別のウエストバンド形成用シートを接合固定して形成することもできる。また、弾性部材５１、６５、６７、７１は、それぞれ一部又は全部を省略でき、また、複数本配するのに代えて一本のみ配しても良く、一本配するのに代えて複数本配することもできる。また、掴み片形成用シート８１の固定部は、吸収性本体５の裏面シート側の面に代えて、表面シートと裏面シートとの間に固定しても良く、表面シートの表面に固定しても良い。
本発明の使い捨ておむつは、成人用に適しているが、幼児用であっても良い。
【図面の簡単な説明】
【００３５】
【図１】図１は、本発明の一実施形態としての使い捨ておむつの表面シート側の面を示す平面図である。
【図２】図２は、図１の使い捨ておむつの裏面シート側の面を示す平面図である。
【図３】図３は、図１の使い捨ておむつの装着方法を説明するための模式図である。
【符号の説明】
【００３６】
１  使い捨ておむつ
２  表面シート
３  裏面シート
４  吸収体
５  吸収性本体
６  ウエストバンド
６８  バンド止着部
７  立体ガード
８  掴み片
８２  止着部
Ａ  後方部
Ｂ  股下部
Ｃ  腹側部
【図１】
2005323641.tif 000003
【図２】
2005323641.tif 000004
【図３】
2005323641.tif 000005